【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
アップロードされた画像データと、当該画像データの配信先を示す少なくとも一つの画像表示装置を特定する端末識別情報とを管理する画像管理装置と、画像データを表示する表示部と画像データを閲覧するユーザを撮像する撮像部とを備える画像表示装置とがネットワークを介して通信可能な画像共有システムであって、
前記画像管理装置は、
アップロードされた画像データを特定するための情報と、当該画像データを配信すべき配信先である少なくとも一つの画像表示装置を特定するための端末識別情報とを管理する管理手段と、
画像データの取得要求をなした画像表示装置から送信された前記端末識別情報と、前記管理手段により管理されている前記端末識別情報とを用いて、当該取得要求元の画像表示装置を配信先とする画像データを特定する特定手段と、
前記特定手段により特定された画像データを、前記取得要求元の画像表示装置に配信する配信手段とを備え、
前記画像表示装置は、
画像表示装置を特定する端末識別情報を記憶する記憶手段と、
前記画像管理装置に対して、前記記憶手段により記憶されている端末識別情報を含めて前記画像データの取得要求を行う要求手段と、
前記画像管理装置の配信手段により配信された画像データを受信する画像データ受信手段と、
前記画像データ受信手段により受信された画像データを前記表示部に表示する画像データ表示手段と、
前記画像データ表示手段により前記表示部に画像データが表示されている間に、当該画像データを閲覧しているユーザによる撮像指示を受け付けることなく応答画像データを取得する応答画像データ取得手段と、
前記応答画像データ取得手段により応答画像データを取得する前に、前記画像データを閲覧しているユーザによりなされる撮影拒否を示すサインを検知する検知手段と、
前記検知手段により撮影拒否を示すサインを検知した場合、前記応答画像データ取得手段により応答画像データを取得する制御を抑止する抑止手段と、
前記応答画像データ取得手段により取得された前記応答画像データと、当該応答画像データを取得する際、前記表示部に表示されていた画像データを特定するための情報とを紐付けて前記画像管理装置に送信する応答画像データ送信手段とを備え、
前記画像管理装置は、
前記応答画像データ送信手段により送信された応答画像データと、当該応答画像データを取得する際、前記画像表示装置の前記表示部に表示されていた画像データを特定するための情報とを受信する応答画像データ受信手段を更に備え、
前記管理手段は、前記応答画像データ受信手段により受信された応答画像データと、当該応答画像データを取得する際、前記画像表示装置の表示部に表示されていた画像データとを紐付けて管理することを特徴とする画像共有システム。
【請求項２】
前記画像表示装置は、
撮影拒否を示すサインの種類に応じた制御内容を定義するテーブルを管理するテーブル管理手段を更に備え、
前記抑止手段は、前記検知手段により撮影拒否を示すサインを検知した場合、前記テーブル管理手段により管理される当該検知した撮影拒否を示すサインの種類に対応する制御内容に従って、前記応答画像データ取得手段により応答画像データを取得する制御を抑止することを特徴とする請求項１に記載の画像共有システム。
【請求項３】
前記撮影拒否を示すサインには、撮影を中止することを示すサインまたは撮影を一時的に停止することを示すサインの少なくともいずれかが含まれることを特徴とする請求項１または２に記載の画像共有システム。
【請求項４】
アップロードされた画像データと、当該画像データの配信先を示す少なくとも一つの画像表示装置を特定する端末識別情報とを管理する画像管理装置と、画像データを表示する表示部と画像データを閲覧するユーザを撮像する撮像部とを備える画像表示装置とがネットワークを介して通信可能な画像共有システムにおける画像共有方法であって、
前記画像管理装置は、
アップロードされた画像データを特定するための情報と、当該画像データを配信すべき配信先である少なくとも一つの画像表示装置を特定するための端末識別情報とを管理する管理ステップと、
画像データの取得要求をなした画像表示装置から送信された前記端末識別情報と、前記管理ステップにより管理されている前記端末識別情報とを用いて、当該取得要求元の画像表示装置を配信先とする画像データを特定する特定ステップと、
前記特定ステップにより特定された画像データを、前記取得要求元の画像表示装置に配信する配信ステップとを含み、
前記画像表示装置は、
画像表示装置を特定する端末識別情報を記憶する記憶ステップと、
前記画像管理装置に対して、前記記憶ステップにより記憶されている端末識別情報を含めて前記画像データの取得要求を行う要求ステップと、
前記画像管理装置の配信ステップにより配信された画像データを受信する画像データ受信ステップと、
前記画像データ受信ステップにより受信された画像データを前記表示部に表示する画像データ表示ステップと、
前記画像データ表示ステップにより前記表示部に画像データが表示されている間に、当該画像データを閲覧しているユーザによる撮像指示を受け付けることなく応答画像データを取得する応答画像データ取得ステップと、
前記応答画像データ取得ステップにより応答画像データを取得する前に、前記画像データを閲覧しているユーザによりなされる撮影拒否を示すサインを検知する検知ステップと、
前記検知ステップにより撮影拒否を示すサインを検知した場合、前記応答画像データ取得ステップにより応答画像データを取得する制御を抑止する抑止ステップと、
前記応答画像データ取得ステップにより取得された前記応答画像データと、当該応答画像データを取得する際、前記表示部に表示されていた画像データを特定するための情報とを紐付けて前記画像管理装置に送信する応答画像データ送信ステップとを含み、
前記画像管理装置は、
前記応答画像データ送信ステップにより送信された応答画像データと、当該応答画像データを取得する際、前記画像表示装置の前記表示部に表示されていた画像データを特定するための情報とを受信する応答画像データ受信ステップを更に含み、
前記管理ステップは、前記応答画像データ受信ステップにより受信された応答画像データと、当該応答画像データを取得する際、前記画像表示装置の表示部に表示されていた画像データとを紐付けて管理することを特徴とする画像共有方法。
【請求項５】
アップロードされた画像データと、当該画像データの配信先を示す少なくとも一つの画像表示装置を特定する端末識別情報とを管理する画像管理装置と、画像データを表示する表示部と画像データを閲覧するユーザを撮像する撮像部とを備える画像表示装置とがネットワークを介して通信可能な画像共有システムにおいて実行可能プログラムであって、
前記画像管理装置を、
アップロードされた画像データを特定するための情報と、当該画像データを配信すべき配信先である少なくとも一つの画像表示装置を特定するための端末識別情報とを管理する管理手段、
画像データの取得要求をなした画像表示装置から送信された前記端末識別情報と、前記管理手段により管理されている前記端末識別情報とを用いて、当該取得要求元の画像表示装置を配信先とする画像データを特定する特定手段、
前記特定手段により特定された画像データを、前記取得要求元の画像表示装置に配信する配信手段として機能させ、
前記画像表示装置を、
画像表示装置を特定する端末識別情報を記憶する記憶手段、
前記画像管理装置に対して、前記記憶手段により記憶されている端末識別情報を含めて前記画像データの取得要求を行う要求手段、
前記画像管理装置の配信手段により配信された画像データを受信する画像データ受信手段、
前記画像データ受信手段により受信された画像データを前記表示部に表示する画像データ表示手段、
前記画像データ表示手段により前記表示部に画像データが表示されている間に、当該画像データを閲覧しているユーザによる撮像指示を受け付けることなく応答画像データを取得する応答画像データ取得手段、
前記応答画像データ取得手段により応答画像データを取得する前に、前記画像データを閲覧しているユーザによりなされる撮影拒否を示すサインを検知する検知手段、
前記検知手段により撮影拒否を示すサインを検知した場合、前記応答画像データ取得手段により応答画像データを取得する制御を抑止する抑止手段、
前記応答画像データ取得手段により取得された前記応答画像データと、当該応答画像データを取得する際、前記表示部に表示されていた画像データを特定するための情報とを紐付けて前記画像管理装置に送信する応答画像データ送信手段として機能させ、
前記画像管理装置を、
前記応答画像データ送信手段により送信された応答画像データと、当該応答画像データを取得する際、前記画像表示装置の前記表示部に表示されていた画像データを特定するための情報とを受信する応答画像データ受信手段として更に機能させ、
前記管理手段は、前記応答画像データ受信手段により受信された応答画像データと、当該応答画像データを取得する際、前記画像表示装置の表示部に表示されていた画像データとを紐付けて管理することを特徴とするプログラム。
【請求項６】
アップロードされた画像データと、当該画像データの配信先を示す少なくとも一つの画像表示装置を特定する端末識別情報とを管理する画像管理装置であり、アップロードされた画像データを特定するための情報と、当該画像データを配信すべき配信先である少なくとも一つの画像表示装置を特定するための端末識別情報とを管理する管理手段と、画像データの取得要求をなした画像表示装置から送信された前記端末識別情報と、前記管理手段により管理されている前記端末識別情報とを用いて、当該取得要求元の画像表示装置を配信先とする画像データを特定する特定手段と、前記特定手段により特定された画像データを、前記取得要求元の画像表示装置に配信する配信手段と、前記画像表示装置から送信された応答画像データと、当該応答画像データを取得する際、前記画像表示装置の前記表示部に表示されていた画像データを特定するための情報とを受信する応答画像データ受信手段とを備え、前記管理手段は、前記応答画像データ受信手段により受信された応答画像データと、当該応答画像データを取得する際、前記画像表示装置の表示部に表示されていた画像データとを紐付けて管理する画像管理装置と、ネットワークを介して通信可能な、画像データを表示する表示部と画像データを閲覧するユーザを撮像する撮像部とを備える画像表示装置であって、
画像表示装置を特定する端末識別情報を記憶する記憶手段と、
前記画像管理装置に対して、前記記憶手段により記憶されている端末識別情報を含めて前記画像データの取得要求を行う要求手段と、
前記画像管理装置の配信手段により配信された画像データを受信する画像データ受信手段と、
前記画像データ受信手段により受信された画像データを前記表示部に表示する画像データ表示手段と、
前記画像データ表示手段により前記表示部に画像データが表示されている間に、当該画像データを閲覧しているユーザによる撮像指示を受け付けることなく応答画像データを取得する応答画像データ取得手段と、
前記応答画像データ取得手段により応答画像データを取得する前に、前記画像データを閲覧しているユーザによりなされる撮影拒否を示すサインを検知する検知手段と、
前記検知手段により撮影拒否を示すサインを検知した場合、前記応答画像データ取得手段により応答画像データを取得する制御を抑止する抑止手段と、
前記応答画像データ取得手段により取得された前記応答画像データと、当該応答画像データを取得する際、前記表示部に表示されていた画像データを特定するための情報とを紐付けて前記画像管理装置に送信する応答画像データ送信手段と
を備えることを特徴とする画像表示装置。
【請求項７】
アップロードされた画像データと、当該画像データの配信先を示す少なくとも一つの画像表示装置を特定する端末識別情報とを管理する画像管理装置であり、アップロードされた画像データを特定するための情報と、当該画像データを配信すべき配信先である少なくとも一つの画像表示装置を特定するための端末識別情報とを管理する管理手段と、画像データの取得要求をなした画像表示装置から送信された前記端末識別情報と、前記管理手段により管理されている前記端末識別情報とを用いて、当該取得要求元の画像表示装置を配信先とする画像データを特定する特定手段と、前記特定手段により特定された画像データを、前記取得要求元の画像表示装置に配信する配信手段と、前記画像表示装置から送信された応答画像データと、当該応答画像データを取得する際、前記画像表示装置の前記表示部に表示されていた画像データを特定するための情報とを受信する応答画像データ受信手段とを備え、前記管理手段は、前記応答画像データ受信手段により受信された応答画像データと、当該応答画像データを取得する際、前記画像表示装置の表示部に表示されていた画像データとを紐付けて管理する画像管理装置と、ネットワークを介して通信可能な、画像データを表示する表示部と画像データを閲覧するユーザを撮像する撮像部と画像表示装置を特定する端末識別情報を記憶する記憶手段とを備える画像表示装置における制御方法であって、
前記画像管理装置に対して、前記記憶手段により記憶されている端末識別情報を含めて前記画像データの取得要求を行う要求ステップと、
前記画像管理装置の配信手段により配信された画像データを受信する画像データ受信ステップと、
前記画像データ受信ステップにより受信された画像データを前記表示部に表示する画像データ表示ステップと、
前記画像データ表示ステップにより前記表示部に画像データが表示されている間に、当該画像データを閲覧しているユーザによる撮像指示を受け付けることなく応答画像データを取得する応答画像データ取得ステップと、
前記応答画像データ取得ステップにより応答画像データを取得する前に、前記画像データを閲覧しているユーザによりなされる撮影拒否を示すサインを検知する検知ステップと、
前記検知ステップにより撮影拒否を示すサインを検知した場合、前記応答画像データ取得ステップにより応答画像データを取得する制御を抑止する抑止ステップと、
前記応答画像データ取得ステップにより取得された前記応答画像データと、当該応答画像データを取得する際、前記表示部に表示されていた画像データを特定するための情報とを紐付けて前記画像管理装置に送信する応答画像データ送信ステップと
を含むことを特徴とする制御方法。
【請求項８】
アップロードされた画像データと、当該画像データの配信先を示す少なくとも一つの画像表示装置を特定する端末識別情報とを管理する画像管理装置であり、アップロードされた画像データを特定するための情報と、当該画像データを配信すべき配信先である少なくとも一つの画像表示装置を特定するための端末識別情報とを管理する管理手段と、画像データの取得要求をなした画像表示装置から送信された前記端末識別情報と、前記管理手段により管理されている前記端末識別情報とを用いて、当該取得要求元の画像表示装置を配信先とする画像データを特定する特定手段と、前記特定手段により特定された画像データを、前記取得要求元の画像表示装置に配信する配信手段と、前記画像表示装置から送信された応答画像データと、当該応答画像データを取得する際、前記画像表示装置の前記表示部に表示されていた画像データを特定するための情報とを受信する応答画像データ受信手段とを備え、前記管理手段は、前記応答画像データ受信手段により受信された応答画像データと、当該応答画像データを取得する際、前記画像表示装置の表示部に表示されていた画像データとを紐付けて管理する画像管理装置と、ネットワークを介して通信可能な、画像データを表示する表示部と画像データを閲覧するユーザを撮像する撮像部と画像表示装置を特定する端末識別情報を記憶する記憶手段とを備える画像表示装置において実行可能なプログラムであって、
前記画像管理装置に対して、前記記憶手段により記憶されている端末識別情報を含めて前記画像データの取得要求を行う要求手段、
前記画像管理装置の配信手段により配信された画像データを受信する画像データ受信手段、
前記画像データ受信手段により受信された画像データを前記表示部に表示する画像データ表示手段、
前記画像データ表示手段により前記表示部に画像データが表示されている間に、当該画像データを閲覧しているユーザによる撮像指示を受け付けることなく応答画像データを取得する応答画像データ取得手段、
前記応答画像データ取得手段により応答画像データを取得する前に、前記画像データを閲覧しているユーザによりなされる撮影拒否を示すサインを検知する検知手段、
前記検知手段により撮影拒否を示すサインを検知した場合、前記応答画像データ取得手段により応答画像データを取得する制御を抑止する抑止手段、
前記応答画像データ取得手段により取得された前記応答画像データと、当該応答画像データを取得する際、前記表示部に表示されていた画像データを特定するための情報とを紐付けて前記画像管理装置に送信する応答画像データ送信手段
として前記画像表示装置を機能させることを特徴とするプログラム。
【請求項９】
画像データを表示する表示部と画像データを閲覧するユーザを撮像する撮像部とを備える画像表示装置であり、画像表示装置を特定する端末識別情報を記憶する記憶手段と、画像管理装置に対して、前記記憶手段により記憶されている端末識別情報を含めて前記画像データの取得要求を行う要求手段と、前記画像管理装置から配信された画像データを受信する画像データ受信手段と、前記画像データ受信手段により受信された画像データを前記表示部に表示する画像データ表示手段と、前記画像データ表示手段により前記表示部に画像データが表示されている間に、当該画像データを閲覧しているユーザによる撮像指示を受け付けることなく応答画像データを取得する応答画像データ取得手段と、前記応答画像データ取得手段により応答画像データを取得する前に、前記画像データを閲覧しているユーザによりなされる撮影拒否を示すサインを検知する検知手段と、前記検知手段により撮影拒否を示すサインを検知した場合、前記応答画像データ取得手段により応答画像データを取得する制御を抑止する抑止手段と、前記応答画像データ取得手段により取得された前記応答画像データと、当該応答画像データを取得する際、前記表示部に表示されていた画像データを特定するための情報とを紐付けて前記画像管理装置に送信する応答画像データ送信手段とを備える画像表示装置と、ネットワークを介して通信可能な、アップロードされた画像データと、当該画像データの配信先を示す少なくとも一つの画像表示装置を特定する端末識別情報とを管理する画像管理装置であって、
アップロードされた画像データを特定するための情報と、当該画像データを配信すべき配信先である少なくとも一つの画像表示装置を特定するための端末識別情報とを管理する管理手段と、
画像データの取得要求をなした画像表示装置から送信された前記端末識別情報と、前記管理手段により管理されている前記端末識別情報とを用いて、当該取得要求元の画像表示装置を配信先とする画像データを特定する特定手段と、
前記特定手段により特定された画像データを、前記取得要求元の画像表示装置に配信する配信手段と、
前記画像表示装置の応答画像データ送信手段により送信された応答画像データと、当該応答画像データを取得する際、前記画像表示装置の前記表示部に表示されていた画像データを特定するための情報とを受信する応答画像データ受信手段とを備え、
前記管理手段は、前記応答画像データ受信手段により受信された応答画像データと、当該応答画像データを取得する際、前記画像表示装置の表示部に表示されていた画像データとを紐付けて管理することを特徴とする画像管理装置。
【請求項１０】
画像データを表示する表示部と画像データを閲覧するユーザを撮像する撮像部とを備える画像表示装置であり、画像表示装置を特定する端末識別情報を記憶する記憶手段と、画像管理装置に対して、前記記憶手段により記憶されている端末識別情報を含めて前記画像データの取得要求を行う要求手段と、前記画像管理装置から配信された画像データを受信する画像データ受信手段と、前記画像データ受信手段により受信された画像データを前記表示部に表示する画像データ表示手段と、前記画像データ表示手段により前記表示部に画像データが表示されている間に、当該画像データを閲覧しているユーザによる撮像指示を受け付けることなく応答画像データを取得する応答画像データ取得手段と、前記応答画像データ取得手段により応答画像データを取得する前に、前記画像データを閲覧しているユーザによりなされる撮影拒否を示すサインを検知する検知手段と、前記検知手段により撮影拒否を示すサインを検知した場合、前記応答画像データ取得手段により応答画像データを取得する制御を抑止する抑止手段と、前記応答画像データ取得手段により取得された前記応答画像データと、当該応答画像データを取得する際、前記表示部に表示されていた画像データを特定するための情報とを紐付けて前記画像管理装置に送信する応答画像データ送信手段とを備える画像表示装置と、ネットワークを介して通信可能な、アップロードされた画像データと、当該画像データの配信先を示す少なくとも一つの画像表示装置を特定する端末識別情報とを管理する画像管理装置における制御方法であって、
アップロードされた画像データを特定するための情報と、当該画像データを配信すべき配信先である少なくとも一つの画像表示装置を特定するための端末識別情報とを管理する管理ステップと、
画像データの取得要求をなした画像表示装置から送信された前記端末識別情報と、前記管理ステップにより管理されている前記端末識別情報とを用いて、当該取得要求元の画像表示装置を配信先とする画像データを特定する特定ステップと、
前記特定ステップにより特定された画像データを、前記取得要求元の画像表示装置に配信する配信ステップと、
前記画像表示装置の応答画像データ送信手段により送信された応答画像データと、当該応答画像データを取得する際、前記画像表示装置の前記表示部に表示されていた画像データを特定するための情報とを受信する応答画像データ受信ステップとを含み、
前記管理ステップは、前記応答画像データ受信ステップにより受信された応答画像データと、当該応答画像データを取得する際、前記画像表示装置の表示部に表示されていた画像データとを紐付けて管理することを特徴とする制御方法。
【請求項１１】
画像データを表示する表示部と画像データを閲覧するユーザを撮像する撮像部とを備える画像表示装置であり、画像表示装置を特定する端末識別情報を記憶する記憶手段と、画像管理装置に対して、前記記憶手段により記憶されている端末識別情報を含めて前記画像データの取得要求を行う要求手段と、前記画像管理装置から配信された画像データを受信する画像データ受信手段と、前記画像データ受信手段により受信された画像データを前記表示部に表示する画像データ表示手段と、前記画像データ表示手段により前記表示部に画像データが表示されている間に、当該画像データを閲覧しているユーザによる撮像指示を受け付けることなく応答画像データを取得する応答画像データ取得手段と、前記応答画像データ取得手段により応答画像データを取得する前に、前記画像データを閲覧しているユーザによりなされる撮影拒否を示すサインを検知する検知手段と、前記検知手段により撮影拒否を示すサインを検知した場合、前記応答画像データ取得手段により応答画像データを取得する制御を抑止する抑止手段と、前記応答画像データ取得手段により取得された前記応答画像データと、当該応答画像データを取得する際、前記表示部に表示されていた画像データを特定するための情報とを紐付けて前記画像管理装置に送信する応答画像データ送信手段とを備える画像表示装置と、ネットワークを介して通信可能な、アップロードされた画像データと、当該画像データの配信先を示す少なくとも一つの画像表示装置を特定する端末識別情報とを管理する画像管理装置において実行可能なプログラムであって、
アップロードされた画像データを特定するための情報と、当該画像データを配信すべき配信先である少なくとも一つの画像表示装置を特定するための端末識別情報とを管理する管理手段、
画像データの取得要求をなした画像表示装置から送信された前記端末識別情報と、前記管理手段により管理されている前記端末識別情報とを用いて、当該取得要求元の画像表示装置を配信先とする画像データを特定する特定手段、
前記特定手段により特定された画像データを、前記取得要求元の画像表示装置に配信する配信手段、
前記画像表示装置の応答画像データ送信手段により送信された応答画像データと、当該応答画像データを取得する際、前記画像表示装置の前記表示部に表示されていた画像データを特定するための情報とを受信する応答画像データ受信手段として前記画像管理装置を機能させ、
前記管理手段は、前記応答画像データ受信手段により受信された応答画像データと、当該応答画像データを取得する際、前記画像表示装置の表示部に表示されていた画像データとを紐付けて管理することを特徴とするプログラム。
【手続補正２】
【補正対象書類名】明細書
【補正対象項目名】発明の名称
【補正方法】変更
【補正の内容】
【発明の名称】画像共有システム、画像共有方法、プログラム、画像表示装置、画像管理装置。
【手続補正３】
【補正対象書類名】明細書
【補正対象項目名】００１４
【補正方法】変更
【補正の内容】
【００１４】
そこで、本発明の目的は、画像を閲覧するユーザの反応を撮影する画像表示装置に対して、ユーザが撮影を拒否するサインにより撮影を抑止することを可能とする。
【手続補正４】
【補正対象書類名】明細書
【補正対象項目名】００１５
【補正方法】変更
【補正の内容】
【００１５】
本発明は、アップロードされた画像データと、当該画像データの配信先を示す少なくとも一つの画像表示装置を特定する端末識別情報とを管理する画像管理装置と、画像データを表示する表示部と画像データを閲覧するユーザを撮像する撮像部とを備える画像表示装置とがネットワークを介して通信可能な画像共有システムであって、前記画像管理装置は、アップロードされた画像データを特定するための情報と、当該画像データを配信すべき配信先である少なくとも一つの画像表示装置を特定するための端末識別情報とを管理する管理手段と、画像データの取得要求をなした画像表示装置から送信された前記端末識別情報と、前記管理手段により管理されている前記端末識別情報とを用いて、当該取得要求元の画像表示装置を配信先とする画像データを特定する特定手段と、前記特定手段により特定された画像データを、前記取得要求元の画像表示装置に配信する配信手段とを備え、前記画像表示装置は、画像表示装置を特定する端末識別情報を記憶する記憶手段と、前記画像管理装置に対して、前記記憶手段により記憶されている端末識別情報を含めて前記画像データの取得要求を行う要求手段と、前記画像管理装置の配信手段により配信された画像データを受信する画像データ受信手段と、前記画像データ受信手段により受信された画像データを前記表示部に表示する画像データ表示手段と、前記画像データ表示手段により前記表示部に画像データが表示されている間に、当該画像データを閲覧しているユーザによる撮像指示を受け付けることなく応答画像データを取得する応答画像データ取得手段と、前記応答画像データ取得手段により応答画像データを取得する前に、前記画像データを閲覧しているユーザによりなされる撮影拒否を示すサインを検知する検知手段と、前記検知手段により撮影拒否を示すサインを検知した場合、前記応答画像データ取得手段により応答画像データを取得する制御を抑止する抑止手段と、前記応答画像データ取得手段により取得された前記応答画像データと、当該応答画像データを取得する際、前記表示部に表示されていた画像データを特定するための情報とを紐付けて前記画像管理装置に送信する応答画像データ送信手段とを備え、前記画像管理装置は、前記応答画像データ送信手段により送信された応答画像データと、当該応答画像データを取得する際、前記画像表示装置の前記表示部に表示されていた画像データを特定するための情報とを受信する応答画像データ受信手段を更に備え、前記管理手段は、前記応答画像データ受信手段により受信された応答画像データと、当該応答画像データを取得する際、前記画像表示装置の表示部に表示されていた画像データとを紐付けて管理することを特徴とする。
【手続補正５】
【補正対象書類名】明細書
【補正対象項目名】００１６
【補正方法】変更
【補正の内容】
【００１６】
本発明によれば、画像を閲覧するユーザの反応を撮影する画像表示装置に対して、ユーザが撮影を拒否するサインにより撮影を抑止することが可能となる。